(57)【要約】【課題】エレベータ設備の昇降路及び昇降路の上側の機械室の少なくとも一方の結露を防止又は抑制する。【解決手段】第一空調装置１５０は、外気Ｋ１を除湿して冷却した除湿空気Ｋ２を、昇降路１１２の上端部１１２Ａの給気口１５２から昇降路１１２に給気し、昇降路１１２を荷捌場１２に対して正圧とすることで、除湿空気Ｋ２が昇降路１１２を下降して乗降口１３１から荷捌場１２に流入する。よって、このように給気された除湿空気Ｋ２によって昇降路１１２が低温低湿となると共に、トラックヤード（外部）４０から外気が荷捌場１２を介して昇降路１１２に流入することが防止される。したがって、昇降路１１２の結露が、防止又は抑制される。【選択図】図１
2015016934.tif 000002
【特許請求の範囲】
【請求項１】
外部に開口する荷捌場を有する下階と冷蔵庫を有する上階との間で荷物を搬送するためのかごが昇降し、前記下階の前記荷捌場に開口する昇降路と、
外気を除湿して前記昇降路の上端部から前記昇降内に給気し、前記昇降路を前記荷捌場に対して正圧とする第一空調手段と、
を備えるエレベータ設備。
【請求項２】
前記昇降路の上側に設けられ、前記かごを昇降させる機械が備えられた機械室と、
前記機械室と前記昇降路との間に設けられた設備開口と、
外気を除湿して前記機械室に給気し、前記機械室を前記昇降路に対して略等圧又は正圧とする第二空調手段と、
を備える請求項１に記載のエレベータ設備。
【請求項３】
外部に開口する荷捌場を有する下階と冷蔵庫を有する上階との間で荷物を搬送するためのかごが昇降し、前記下階の前記荷捌場に開口する昇降路と、
前記昇降路の上側に設けられ、前記かごを昇降させる機械が備えられた機械室と、
前記機械室と前記昇降路との間に設けられた設備開口と、
外気を除湿して前記機械室に給気し、前記機械室を前記昇降路に対して略等圧又は正圧とする機械室空調手段と、
を備えるエレベータ設備。
【発明の詳細な説明】
【技術分野】
【０００１】
本発明は、エレベータ設備に関する。
【背景技術】
【０００２】
流通センター等においては、荷物を低温状態で収納して保管するための冷蔵倉庫が設置されることがある。また、冷蔵倉庫は、地表階（１階）にトラックヤードと荷捌場とを設け、トラックにより搬入した荷物を荷捌場で荷捌きしてエレベータにより上階（２階や３階）に設置した冷蔵庫に搬送して入庫するようにしたものが、知られている。
【０００３】
ここで、このような冷蔵倉庫では、荷捌場がトラックヤード（外部）に面して設けられており、更にその荷捌場に面してエレベータの乗降口が設けられていることから、荷捌場から外気が昇降路（エレベータシャフト）内に流入することが避けられない。
【０００４】
そして、昇降路（エレベータシャフト）は、冷蔵庫の内部あるいは冷蔵庫に隣接して配置されていることから、昇降路の内部温度は、外気に比べて低温となっており、流入した外気が昇降路内を上昇して頂部に長時間滞留し、昇降路が結露する怖れがある。
【０００５】
また、昇降路（エレベータシャフト）の上側に機械室が設けられている場合、エレベータシャフト内を上昇した外気が、ロープ貫通孔やダクト等の設備開口を介して機械室に流入し、機械室が結露する怖れがある。
【０００６】
そこで、特許文献１には、エレベータシャフトの頂部と冷蔵庫とを区画している区画壁に形成した開口部に換気扇を設置し、冷蔵庫内の冷気をエレベータシャフト内に供給することで、エレベータシャフトの内圧が正圧に維持され、また冷気がエレベータシャフト内を下降して流れることで、荷捌場からエレベータシャフト内への外気の流入を防止して、エレベータシャフトの結露を防止する技術が開示されている。
【０００７】
しかし、上記技術では、冷蔵庫の冷気が荷捌場に送られるので、荷捌場の換気には寄与されない。また、冷気を送る冷蔵庫の冷却効率が低下する。一方、機械室の結露に関しては、考慮されていない。したがって、エレベータ設備の昇降路や機械室の結露を防止することに関して、改善の余地がある。
【先行技術文献】
【特許文献】
【０００８】
【特許文献１】特開２００９−１０２１３１号公報
【発明の概要】
【発明が解決しようとする課題】
【０００９】
本発明は、上記事実を考慮し、エレベータ設備の昇降路及び昇降路の上側の機械室の少なくとも一方の結露を防止又は抑制することが課題である。
【課題を解決するための手段】
【００１０】
請求項１の発明は、外部に開口する荷捌場を有する下階と冷蔵庫を有する上階との間で荷物を搬送するためのかごが昇降し、前記下階の前記荷捌場に開口する昇降路と、外気を除湿して前記昇降路の上端部から前記昇降内に給気し、前記昇降路を前記荷捌場に対して正圧とする第一空調手段と、を備える。
【００１１】
請求項１に記載の発明では、第一空調手段が外気を除湿して昇降路の上端部から昇降路に給気し、昇降路を荷捌場に対して正圧とすることで、除湿された外気が昇降路を下降して開口部から荷捌場に流入する。
【００１２】
よって、昇降路が低湿となると共に、外気が荷捌場から開口部を介して昇降路に流入することが防止される。したがって、昇降路の結露が、防止又は抑制される。
【００１３】
また、除湿された外気は、昇降路を下降して開口部から荷捌場に流入するので、荷捌場の換気に寄与する。
【００１４】
つまり、第一空調手段は、昇降路の結露の防止又は抑制と、荷捌場の換気と、の二つの機能を有する。
【００１５】
請求項２の発明は、前記昇降路の上側に設けられ、前記かごを昇降させる機械が備えられた機械室と、前記機械室と前記昇降路との間に設けられた設備開口と、外気を除湿して前記機械室に給気し、前記機械室を前記昇降路に対して略等圧又は正圧とする第二空調手段と、を備える。
【００１６】
請求項２に記載の発明では、第二空調手段が、外気を除湿して機械室に給気し、機械室を昇降路に対して略等圧又は正圧とすることで、昇降路の空気が設備開口を介して機械室に流入することが防止される。よって、機械室の結露が防止又は抑制される。
【００１７】
請求項３の発明は、外部に開口する荷捌場を有する下階と冷蔵庫を有する上階との間で荷物を搬送するためのかごが昇降し、前記下階の前記荷捌場に開口する昇降路と、前記昇降路の上側に設けられ、前記かごを昇降させる機械が備えられた機械室と、前記機械室と前記昇降路との間に設けられた設備開口と、外気を除湿して前記機械室に給気し、前記機械室を前記昇降路に対して略等圧又は正圧とする機械室空調手段と、を備える。
【００１８】
請求項３に記載の発明では、機械室空調手段が、外気を除湿して機械室に給気し、機械室を昇降路に対して略等圧又は正圧とすることで、昇降路の空気が設備開口を介して機械室に流入することが防止される。よって、機械室の結露が防止又は抑制される。
【発明の効果】
【００１９】
本発明によれば、エレベータ設備の昇降路及び昇降路の上側の機械室の少なくとも一方の結露を防止又は抑制することができる。
【図面の簡単な説明】
【００２０】
【図１】本発明の第一実施形態のエレベータ設備が設けられた冷蔵倉庫を模式的に示す断面図である。
【図２】図１の要部を拡大した拡大断面図である。
【図３】本発明の第二実施形態のエレベータ設備が設けられた冷蔵倉庫を模式的に示す断面図である。
【図４】図３の要部を拡大した拡大断面図である。
【発明を実施するための形態】
【００２１】
＜第一実施形態＞
本発明の第一実施形態に係るエレベータ設備１００を、図１及び図２を参照しながら説明する。
【００２２】
図１に示すように、本実施形態の冷蔵倉庫９０は、三階建て（三層構造）であり、一階１０、二階２０、及び三階３０には、それぞれ荷捌場１２、２２、３２と、荷物を低温状態で収納して保管する冷蔵庫１４、２４、３４と、が設けられている。なお、本実施形態の冷蔵庫１４、２４、３４の庫内温度は、約２℃に維持されるようになっている。
【００２３】
二階２０及び三階３０における冷蔵庫２４、３４と荷捌場２２、３２との出入口（開口部）２６、３６には、開閉シャッター２８、３８が設けられている。
【００２４】
一階１０の荷捌場１２は、トラックヤード（外部）４０に面しており、トラックヤード（外部）４０に面する壁面には、入出荷戸口（開口部）４２が設けられている。この入出荷戸口４２は、上下方向に回転する扉４４によって開閉する。また、この入出荷戸口４２には、ドックシェルター４６が設けられ、外部からの雨風、虫、ほこり等の荷捌場１２への侵入が防止又は抑制されている。
【００２５】
そして、このような構成の冷蔵倉庫９０に、エレベータ（昇降装置）１１０と第一空調装置１５０とを有するエレベータ設備１００が設けられている。
【００２６】
エレベータ１１０は、昇降路（エレベータシャフト）１１２と、荷物を搬送するかご（籠）１１４と、かご１１４を昇降させる昇降装置１１８と、を有している。
【００２７】
昇降路（エレベータシャフト）１１２は、一階１０の荷捌場１２、二階の荷捌場２２、及び三階３０の荷捌場３２に面し、これらを上下方向に貫通するように設けられている。そして、この昇降路１１２を、箱状のかご（籠）１１４が、昇降装置１１８によって昇降する。なお、本実施形態では、昇降装置１１８は、一例として昇降路１１２の下側に設置されているが、これに限定されるものではない。
【００２８】
また、昇降路１１２の上端部１１２Ａにおける内壁面には、シート状の断熱材１２０が、接合されている。
【００２９】
昇降路１１２における各階の荷捌場１２、２２、３２に面する壁面には、開閉シャッター１２１、１２２、１２３で開閉される乗降口１３１、１３２、１３３が設けられている。なお、本実施形態の開閉シャッター１２１、１２２、１２３は、高速シートシャッターが用いられている。
【００３０】
図２に示すように、第一空調装置１５０は、外気Ｋ１を取り込み除湿及び冷却した除湿空気Ｋ２を、昇降路１１２の天井１１２Ｃに設けられた給気口１５２から昇降路１１２に給気する。これにより、昇降路１１２が加圧され、各階の荷捌場１２、２２、３２に対して正圧となる。
【００３１】
なお、第一空調装置１５０は、デシカント空調装置などの既存（周知）の空調装置を用いることができる。また、第一空調装置１５０は、湿度と温度とを、それぞれ個別に調整することができるように構成されている。
【００３２】
（作用及び効果）
つぎに本実施形態の作用及び効果について説明する。
【００３３】
図１に示すように、冷蔵倉庫９０では、トラックヤード４０に駐車したトラック４８から荷物を搬入し荷捌場１２で荷捌きして、一階１０、二階２０及び三階３０の冷蔵庫１４、２４、３４に入庫する。或いは、一階１０、二階２０及び三階３０の冷蔵庫１４、２４、３４に入庫されている荷物をトラック４８に荷積みして搬出する。また、二階２０及び三階３０の冷蔵庫２４、３４には、エレベータ１１０を用いて荷物を搬送する。
【００３４】
荷捌場１２はトラックヤード（外部）４０に面して設けられている。よって、荷捌場１２の入出荷戸口の扉４４が開かれた際には、トラックヤード（外部）４０から荷捌場１２に外気が流入する。また、扉４４が閉じられた状態であっても、隙間から荷捌場１２に外気が流入する。
【００３５】
ここで、本実施形態では、図２に示すように、第一空調装置１５０は、外気Ｋ１を除湿及び冷却した除湿空気Ｋ２を、昇降路１１２の上端部１１２Ａの給気口１５２から昇降路１１２に給気し、昇降路１１２を荷捌場１２に対して正圧とすることで、図１に矢印Ｍで示すように、除湿空気Ｋ２が昇降路１１２を下降して、下部１１２Ｂに設けられた乗降口１３１から荷捌場１２に流入する。
【００３６】
よって、給気された除湿空気Ｋ２によって昇降路１１２が低温低湿となると共にトラックヤード（外部）４０から外気が荷捌場１２を介して昇降路１１２に流入することが防止される。したがって、昇降路１１２の結露が防止又は抑制される。
【００３７】
なお、特に昇降路１１２の上端部１１２Ａは、外気が流入すると上昇して長時間滞留するため、結露が発生しやすい。
【００３８】
しかし、本実施形態では、仮に多少の外気が昇降路１１２に流入したとしても、矢印Ｍで示すように昇降路１１２を下降する除湿空気Ｋ２の気流により押し戻されるので、外気が上端部１１２Ａまで上昇して上端部１１２Ａに長時間滞留することが防止又は抑制される。更に、本実施形態では、昇降路１１２の上端部１１２Ａにおける内壁面には、断熱材１２０が接合されている。よって、昇降路１１２の上端部１１２Ａの結露を、効果的に防止又は抑制することができる。
【００３９】
また、図１に矢印Ｍで示すように、外気Ｋ１を除湿及び冷却した除湿空気Ｋ２は、昇降路１１２を下降して乗降口１３１から荷捌場１２に流入するので、荷捌場１２の換気に寄与する。また、除湿空気Ｋ２の温度や湿度を適宜調整することで、荷捌場１２の空調（温度や湿度の調整）にも寄与する。つまり、第一空調装置１５０は、昇降路１１２の結露を防止又は抑制する機能と、荷捌場１２の換気や空調を行う機能と、の二つの機能を有する。
【００４０】
なお、荷捌場１２には、別途、除湿装置やエアコンなどの空調装置や換気装置を設けてもよい。
【００４１】
また、本実施形態においては、乗降口１３１、１３２、１３３を開閉する開閉シャッター１２１、１２２、１２３には、高速シートシャッターを用いているので、通常の開閉速度のシャッターと比較し、昇降路１１２の正圧を、より確実に維持することができる。
【００４２】
なお、昇降路１１２は、二階２０の荷捌場２２及び三階３０の荷捌場３２に対しても正圧となるので、荷捌場２２、３２からの空気の流入も防止又は抑制されている。
【００４３】
＜第二実施形態＞
つぎに、本発明の第二実施形態に係るエレベータ設備を、図３及び図４を参照しながら説明する。なお、第一実施形態と同一の部材には同一の符号を付し、重複する説明は省略する。
【００４４】
図３に示すように、冷蔵倉庫９０には、エレベータ１１０と第一空調装置１５０と第二空調装置２５０とを有するエレベータ設備２００が設けられている。
【００４５】
エレベータ１１０は、昇降路（エレベータシャフト）１１２と、かご（籠）１１４と、かご１１４を昇降させる昇降装置２１８と、を有している。本実施形態では、昇降装置２１８は、昇降路１１２の上側に設けられた機械室２６０に設置されている。
【００４６】
図４に示すように、昇降路１１２の天井１１２Ｃには、ロープやダクトが通る設備開口２６２が形成されている。つまり、機械室２６０と昇降路１１２とは、設備開口２６２を介して連通している。
【００４７】
また、機械室２６０は、換気設備の設置義務があるので、機械室２６０の空気を排気（矢印Ｈを参照）する排気装置２６４と、後述する第二空調装置２５０と、が設けられている。
【００４８】
第一実施形態と同様に、第一空調装置１５０は、外気Ｋ１を取り込み除湿及び冷却した除湿空気Ｋ２を、昇降路１１２の側壁１１２Ｄに設けられた給気口１５２から昇降路１１２に給気する。これにより、昇降路１１２が加圧され、各階の荷捌場１２、２２、３２に対して正圧となる。
【００４９】
一方、第二空調装置２５０は、外気Ｋ３を取り込み除湿及び冷却した除湿空気Ｋ４を、機械室２６０に設けられた給気口２５２から機械室２６０に給気する。これにより、機械室２６０が加圧され、昇降路１１２に対して略等圧又は正圧となるように差圧管理されている。あるいは、機械室２６０と昇降路１１２との間に、設備開口２６２を用いて機械室側を正圧とする向きに差圧ダンパを設け、差圧ダンパの開閉（および開度）で、差圧管理するようにしてもよい。
【００５０】
なお、差圧管理は、どのような方法で行ってもよい。例えば、機械室２６０及び昇降路１１２に気圧センサーを設け、機械室２６０の気圧が昇降路１１２の気圧に対して同じか大きくなるように、第二空調装置２５０の流量を制御すればよい。また、第一空調装置１５０や排気装置２６４の流量も同時に制御してもよい。
【００５１】
なお、第二空調装置２５０は、デシカント空調装置等の既存（周知）の装置を用いることができる。また、第二空調装置２５０は、湿度と温度とを、それぞれ個別に調整することができるように構成されている。
【００５２】
（作用及び効果）
つぎに本実施形態の作用及び効果について説明する。
【００５３】
第一実施形態と同様に、第一空調装置１５０によって、昇降路１１２に給気された除湿空気Ｋ２によって昇降路１１２が低温低湿となると共に、トラックヤード（外部）４０から外気が荷捌場１２を介して昇降路１１２に流入することが防止される。したがって、昇降路１１２の結露が、防止又は抑制される。
【００５４】
更に、図３に矢印Ｍで示すように、外気Ｋ１を除湿及び冷却した除湿空気Ｋ２は、昇降路１１２を下降して乗降口１３１から荷捌場１２に流入するので、荷捌場１２の換気に寄与する。また、除湿空気Ｋ２の温度や湿度を調整することで荷捌場１２の空調（温度や質の調節）にも寄与する。つまり、第一空調装置１５０は、昇降路１１２の結露を防止又は抑制する機能と、荷捌場１２の換気や空調を行う機能と、の二つの機能を有する。
【００５５】
また、第二空調装置２５０が、外気Ｋ３を除湿及び冷却した除湿空気Ｋ４を機械室２６０に給気し機械室２６０を昇降路１１２に対して略等圧又は正圧とすることで、昇降路１１２の空気が、設備開口２６２を介して機械室２６０に流入することが防止される。したがって、機械室２６０の結露が、防止又は抑制される。
【００５６】
また、第二空調装置２５０（及び排気装置２６４）によって、機械室２６０の換気が行われる。また、除湿空気Ｋ４の温度や湿度を調整することで機械室２６０の空調（温度や湿度の調整）も行われる。つまり、第二空調装置２５０は、機械室の結露を防止又は抑制する機能と、機械室２６０の換気や空調を行う機能と、の二つの機能を有する。なお、機械室２６０に設けた排気口等から排気される場合は、排気装置２６４は設けられていなくてもよい。
【００５７】
（他の形態）
本実施形態では、エレベータ設備２００は、エレベータ１１０と第一空調装置１５０と第二空調装置２５０とを有していたが、これに限定されない。第一空調装置１５０及び第二空調装置２５０の少なくとも一方を有していればよい。
【００５８】
また、第一実施形態のように、昇降路１１２の上端部１１２Ａにおける内壁面に、シート状の断熱材１２０（図１及び図２参照）が、接合されていてもよい。
【００５９】
＜その他＞
尚、本発明は上記実施形態に限定されない。
【００６０】
例えば、上記実施形態では、第一空調装置１５０及び第二空調装置２５０は、外気の湿度と温度との二つを調整したが、これに限定されない。少なくとも外気を除湿することができればよい。
【００６１】
また、例えば、上記実施形態では、昇降路（エレベータシャフト）１１２は、上階（二階２０及び三階３０）において荷捌場２２、３２に配置され（荷捌場２２、２３に面し）、乗降口１３２、１３３が荷捌場２２、３２に開口していたが、これに限定されない。冷蔵庫の内部に配置され（冷蔵庫２４、３４に面し）、乗降口１３２、１３３が冷蔵庫に開口する構成であってもよい。
【００６２】
更に、本発明の要旨を逸脱しない範囲において種々なる態様で実施し得ることは言うまでもない。
【符号の説明】
【００６３】
１０      一階（下階の一例）
１２      荷捌場
２０      二階（上階の一例）
２４      冷蔵庫
３０      三階（上階の一例）
３４      冷蔵庫
４０      トラックヤード（外部の一例）
１００      エレベータ設備
１１０      エレベータ
１１２      昇降路
１１２Ａ    昇降路の上端部
１１２Ｂ    昇降路の下部
１１４      かご
１５０      第一空調装置（第一空調手段の一例）
２００      エレベータ設備
２１８      昇降装置（かごを昇降させる機械）
２５０      第二空調装置（第二空調手段の一例及び機械室空調手段の一例）
２６０      機械室
２６２      設備開口
【図１】
2015016934.tif 000003
【図２】
2015016934.tif 000004
【図３】
2015016934.tif 000005
【図４】
2015016934.tif 000006